(57)【要約】【課題】  開き操作時に扉体が開口部の外側脇の開放位置に移動される機能を利用した弾性付勢機構の合理的な配置改良により、意匠感の向上と見掛け上の収納容積の増大及び製造コストの低廉化を図る。【解決手段】  収納室Ｓの内壁部に取付けられる第１取付け部材４と収納室Ｓの開口部を閉止する扉体１の裏面に取付けられる第２取付け部材５とが、扉体１を閉止位置と開口部の外側脇に移動した開放位置とに亘って揺動案内するリンク機構Ｂを介して連結されているとともに、前記リンク機構Ｂの揺動に連れて扉体１を閉止位置と開放位置とに択一的に保持する弾性付勢機構Ｃが設けられ、更に、前記弾性付勢機構Ｃが、第２取付け部材５とリンク機構Ｂとの間に設けられている。【選択図】        図３
2006241902.tif 000002
【特許請求の範囲】
【請求項１】
収納室の内壁部に取付けられる第１取付け部材と収納室の開口部を閉止する扉体の裏面に取付けられる第２取付け部材とが、扉体を閉止位置と開口部の外側脇に移動した開放位置とに亘って揺動案内するリンク機構を介して連結されているとともに、前記リンク機構の揺動に連れて扉体を閉止位置と開放位置とに択一的に保持する弾性付勢機構が設けられている扉体開閉装置であって、
前記弾性付勢機構が、第２取付け部材とリンク機構との間に設けられている扉体開閉装置。
【請求項２】
前記リンク機構が、扉体を平行又は略平行姿勢に維持したまま閉止位置と開放位置とに揺動案内する一対の揺動リンクから構成されているとともに、前記弾性付勢機構に備えられるコイルバネが、第２取付け部材の他端側に枢支連結された一方の第１揺動リンクの枢支連結部側と第２取付け部材の一端側との間に設けられている請求項１記載の扉体開閉装置。
【請求項３】
前記第１揺動リンクのうち、扉体が閉止位置にある状態において第２取付け部材との枢支連結部よりも第２取付け部材の一端側に近づく部位と第２取付け部材の一端側から遠ざかる部位とに、弾性付勢機構のコイルバネの他端部を選択的に取付け可能な取付け部が形成されている請求項２記載の扉体開閉装置。
【請求項４】
前記第２取付け部材には、扉体への取付け部を備えた底板部とこれの両側辺に折り曲げ形成された一対の側板部が備えられ、一方の側板部にはリンク機構を構成する一対の揺動リンクが枢支連結されているとともに、他方の側板部の高さが一方の側板部の高さよりも低く構成されている請求項１、２又は３記載の扉体開閉装置。
【請求項５】
前記第２取付け部材には、扉体への取付け部を備えた底板部とこれの両側辺に折り曲げ形成された一対の側板部、及び、底板部の一端側に折り曲げ形成された弾性付勢機構の取付け部を有する取付け板部が備えられ、該取付け板部の内側面が両側板部の端面に当て付けられている請求項１〜４のいずれか１項に記載の扉体開閉装置。
【請求項６】
前記第１取付け部材には、リンク機構を構成する長さの異なる二種類の両揺動リンクを選択的に枢支連結するための三つの取付け部が、そのうちの一つを共用する状態で形成されているとともに、前記第２取付け部材には、長さの異なる二種類の両揺動リンクを選択的に枢支連結するための三つの取付け部が、そのうちの一つを共用する状態で形成されている請求項１〜５のいずれか１項に記載の扉体開閉装置。
【請求項７】
前記第１取付け部材には、共用の取付け部とこれに近接位置する短尺側揺動リンク用の取付け部との間において、短尺側揺動リンクとの接当によって扉体の開放位置を規制するストッパー部材の第１取付け部と、共用の取付け部以外の両取付け部間において、長尺側揺動リンクとの接当によって扉体の開放位置を規制するストッパー部材の第２取付け部が形成されている請求項６記載の扉体開閉装置。
【請求項８】
前記扉体が、環状の扉枠体に透光体を装着して構成されているとともに、扉枠体の左右縦框に取付けられる各第２取付け部材に枢支連結されるリンク機構の両揺動リンクのうち、扉体が閉止位置にある状態で扉枠体の下框又は上框に対応する一方の第１揺動リンクの枢支連結部側に亘って、扉体が閉止位置にあるときに扉枠体の下框又は上框の背面に沿って位置する状態で連結部材が架設されている請求項１〜７のいずれか１項に記載の扉体開閉装置。
【発明の詳細な説明】
【技術分野】
【０００１】
本発明は、トールキャビネット、シンクキャビネット、吊り戸棚等の建具或いは食器棚、書棚、下駄箱等の家具などに装備される扉体の開閉装置で、詳しくは、収納室の内壁部に取付けられる第１取付け部材と収納室の開口部を閉止する扉体の裏面に取付けられる第２取付け部材とが、扉体を閉止位置と開口部の外側脇に移動した開放位置とに亘って揺動案内するリンク機構を介して連結されているとともに、前記リンク機構の揺動に連れて扉体を閉止位置と開放位置とに択一的に保持する弾性付勢機構が設けられている扉体開閉装置に関する。
【背景技術】
【０００２】
従来の扉体開閉装置では、収納室の内壁部に取付けられる第１取付け部材のうち、収納室の開口部に近接する前部二箇所と、収納室の開口部を閉止する扉体の裏面に取付けられる第２取付け部材の二箇所とに亘って、扉体を平行又は略平行姿勢に維持したまま開口部を閉止する閉止位置と開口部の外側脇に移動した開放位置とに亘って揺動案内するリンク機構の一対の揺動リンクが設けられ、そのうち、扉体が開放位置にあるとき開口部の外側脇に屈曲突出する第１揺動リンクの基部とそれに前後方向で略対向する第１取付け部材の後部との間に亘って、揺動リンクの揺動に連れて扉体を閉止位置と開放位置とに択一的に保持する弾性付勢機構の引張コイルバネが設けられている（特許文献１参照）。
【０００３】
【特許文献１】特許第３６１１４９８号
【発明の開示】
【発明が解決しようとする課題】
【０００４】
従来の扉体開閉装置では、前記弾性付勢機構の引張コイルバネが、収納室の内壁部に取付けられる第１取付け部材の後部と第１揺動リンクの基部とに亘って設けられているため、扉体が開放位置に揺動されたとき、収納室の開口部を通して比較的大きな引張コイルバネが目視され、かつ、引張コイルバネが揺動リンクよりも内方側に張り出すため、扉開き時の意匠感が損なわれるばかりでなく、見掛け上の収納容積が減少したような印象を与える。
特に、引張コイルバネを覆い隠すカバーを設ける場合では、意匠感の向上を図ることができるものの、見掛け上の収納容積が一層減少したような印象を与えるとともに、製造コストの高騰化を招来する問題がある。
【０００５】
本発明は、上述の実状に鑑みて為されたものであって、その主たる課題は、開き操作時に扉体が開口部の外側脇の開放位置に移動される機能を利用した弾性付勢機構の合理的な配置改良により、意匠感の向上と見掛け上の収納容積の増大及び製造コストの低廉化を図ることのできる扉体開閉装置を提供する点にある。
【課題を解決するための手段】
【０００６】
本発明による第１の特徴構成は、収納室の内壁部に取付けられる第１取付け部材と収納室の開口部を閉止する扉体の裏面に取付けられる第２取付け部材とが、扉体を平行又は略平行姿勢に維持したまま閉止位置と開口部の外側脇に移動した開放位置とに亘って揺動案内するリンク機構を介して連結されているとともに、前記リンク機構の揺動に連れて扉体を閉止位置と開放位置とに択一的に保持する弾性付勢機構が設けられている扉体開閉装置であって、
前記弾性付勢機構が、第２取付け部材とリンク機構との間に設けられている点にある。
【０００７】
上記特徴構成によれば、前記弾性付勢機構が、扉体の裏面に取付けられる第２取付け部材とリンク機構との間に設けられているため、扉体が開放位置に揺動されたときでも、弾性付勢機構の前面側が開放位置にある扉体で覆い隠されることになる。
【０００８】
従って、扉体が開放位置に揺動されたとき、収納室側に比較的大きな弾性付勢機構が現れることが無く、扉開き操作時の意匠感を向上することができるとともに、見掛け上の収納容積が広くなるような印象を与えることができ、しかも、弾性付勢機構を覆い隠すカバー構造を設ける必要が無く又はカバー構造を設けル場合でも簡単な構造で済み、製造コストの低廉化を図ることができる。
【０００９】
本発明による第２の特徴構成は、前記リンク機構が、扉体を平行又は略平行姿勢に維持したまま閉止位置と開放位置とに揺動案内する一対の揺動リンクから構成されているとともに、前記弾性付勢機構に備えられるコイルバネが、第２取付け部材の他端側に枢支連結された一方の第１揺動リンクの枢支連結部側と第２取付け部材の一端側との間に設けられている点にある。
【００１０】
上記特徴構成によれば、前記第２取付け部材の一端側とそれの他端側に枢支連結された第１揺動リンクの枢支連結部側との間に亘ってコイルバネを設けてあるから、例えば、このコイルバネを、第２取付け部材の一端側とそれの中間位置側に枢支連結された他方の第２揺動リンクの枢支連結部側との間に亘って設ける場合に比較して、コイルバネの大きな張設スペースを確保しながらも、コイルバネを扉体の裏面側に近接配置することができるから、開放位置に揺動される扉体を開口部の外側脇の他の構成部材の外面に近接させることができ、扉開き操作時における意匠感の向上を促進することができるばかりでなく、開放位置に揺動された扉体の出っ張り量を少なくすることができる。
【００１１】
本発明による第３の特徴構成は、前記第１揺動リンクのうち、扉体が閉止位置にある状態において第２取付け部材との枢支連結部よりも第２取付け部材の一端側に近づく部位と第２取付け部材の一端側から遠ざかる部位とに、弾性付勢機構のコイルバネの他端部を選択的に取付け可能な取付け部が形成されている点にある。
【００１２】
上記特徴構成によれば、前記第２取付け部材の一端側とそれの他端側に枢支連結された第１揺動リンクの枢支連結部側との間に亘ってコイルバネを張設するにあたって、コイルバネの他端側を、第２取付け部材に対する第１揺動リンクの枢支連結部よりも第２取付け部材の一端側に近づく部位に取付けると、コイルバネの張設距離が短くなり、また、コイルバネの他端側を、第２取付け部材に対する第１揺動リンクの枢支連結部よりも第２取付け部材の一端側から遠ざかる部位に取付けると、コイルバネの張設距離が長くなる。
【００１３】
それ故に、前記扉体を下方に開き揺動させる形式の扉体開閉装置では、コイルバネの他端側を第２取付け部材の一端側に近づく部位に取付けることにより、扉体が急激に開き揺動することを抑制することができるとともに、前記扉体を上方に開き揺動させる形式の扉体開閉装置では、コイルバネの他端側を第２取付け部材の一端側から遠ざかる部位に取付けることにより、扉体の重量に抗して確実に開き揺動させることができる。
【００１４】
従って、第２取付け部材の一端側との間でのコイルバネの張設距離が異なる状態で第１揺動リンクの枢支連結部側の二箇所に形成された取付け部に対して、コイルバネの他端側を選択的に付け替えるだけで、下開き形式の扉体開閉装置と上開き形式の扉体開閉装置とを製作することができる。
【００１５】
本発明による第４の特徴構成は、前記第２取付け部材に、扉体への取付け部を備えた底板部とこれの両側辺に折り曲げ形成された一対の側板部とが備えられ、一方の側板部にはリンク機構を構成する一対の揺動リンクが枢支連結されているとともに、他方の側板部の高さが一方の側板部の高さよりも低く構成されている点にある。
【００１６】
上記特徴構成によれば、扉体への取付け部を備えた底板部の両側辺に側板部を折り曲げ形成して第２取付け部材を構成することにより、第２取付け部材の強度を向上することができるとともに、リンク機構を構成する一対の揺動リンクが枢支連結される一方の側板部よりも他方の側板部の高さを低く構成することにより、その段差を利用して一方の側板に対する両揺動リンクの取付け作業の容易化を図ることができる。
【００１７】
本発明による第５の特徴構成は、前記第２取付け部材には、扉体への取付け部を備えた底板部とこれの両側辺に折り曲げ形成された一対の側板部、及び、底板部の一端側に折り曲げ形成された弾性付勢機構の取付け部を有する取付け板部が備えられ、該取付け板部の内側面が両側板部の端面に当て付けられている点にある。
【００１８】
上記特徴構成によれば、扉体への取付け部を備えた底板部の両側辺及び一端側に側板部及び弾性付勢機構の取付け部を有する取付け板部を折り曲げ形成して第２取付け部材を構成することにより、第２取付け部材の強度を向上することができるとともに、扉体の開閉操作の度に弾性付勢機構の大きな付勢反力が取付け板部に作用しても、この取付け板部に作用する付勢反力を、該取付け板部の内側面に当て付けられている両側板部の端面に確実に分散支持させることができる。
【００１９】
本発明による第６の特徴構成は、前記第１取付け部材に、リンク機構を構成する長さの異なる二種類の両揺動リンクを選択的に枢支連結するための三つの取付け部が、そのうちの一つを共用する状態で形成されているとともに、前記第２取付け部材には、長さの異なる二種類の両揺動リンクを選択的に枢支連結するための三つの取付け部が、そのうちの一つを共用する状態で形成されている点にある。
【００２０】
上記特徴構成によれば、リンク機構の揺動開閉方向での扉体の長さが異なる場合、リンク機構を構成する長さの異なる二種類の両揺動リンクを準備する必要があるものの、第１取付け部材及び第２取付け部材は１種類準備するだけでよく、しかも、第１・第２取付け部材には、長さの異なる二種類の両揺動リンクを選択的に枢支連結するための三つの取付け部が、そのうちの一つを共用する状態で形成されているから、第１・第２取付け部材自体の加工工数の減少と構造の簡素化を図ることができる。
【００２１】
本発明による第７の特徴構成は、前記第１取付け部材に、共用の取付け部とこれに近接位置する短尺側揺動リンク用の取付け部との間において、短尺側揺動リンクとの接当によって扉体の開放位置を規制するストッパー部材の第１取付け部と、共用の取付け部以外の両取付け部間において、長尺側揺動リンクとの接当によって扉体の開放位置を規制するストッパー部材の第２取付け部が形成されている点にある。
【００２２】
上記特徴構成によれば、前記第１取付け部材には、短尺側揺動リンクとの接当によって扉体の開放位置を規制するストッパー部材の第１取付け部と長尺側揺動リンクとの接当によって扉体の開放位置を規制するストッパー部材の第２取付け部が形成されているため、第１取付け部材としては１種類だけ製作すればよく、製造コストの低廉化を促進することができる。
【００２３】
本発明による第８の特徴構成は、前記扉体が、環状の扉枠体に透光体を装着して構成されているとともに、扉枠体の左右縦框に取付けられる各第２取付け部材に枢支連結されるリンク機構の両揺動リンクのうち、扉体が閉止位置にある状態で扉枠体の下框又は上框に対応する一方の第１揺動リンクの枢支連結部側に亘って、扉体が閉止位置にあるときに扉枠体の下框又は上框の背面に沿って位置する状態で連結部材が架設されている点にある。
【００２４】
上記特徴構成によれば、環状の扉枠体に透光体を装着して扉体が構成されている場合でも、各第２取付け部材を扉体の左右の縦框に取付けるとともに、各第２取付け部材に枢支連結されるリンク機構の両揺動リンクのうち、扉体が閉止位置にある状態で扉枠体の下框又は上框に対応する一方の第１揺動リンクの枢支連結部側に亘って連結部材を架設することにより、開口幅方向で相対向する両リンク機構の揺動運動のずれを少なくして扉体を滑らかに開閉揺動させることができるばかりでなく、このために左右の第１揺動リンクの枢支連結部側に亘って架設される長尺な連結部材が、扉体が閉止位置にあるときに扉枠体の下框又は上框の背面に沿って位置するから、扉体の透光体を通しても長尺な連結部材が見え難く、扉閉止時における外観意匠の向上を図ることができる。
【発明を実施するための最良の形態】
【００２５】
〔第１実施形態〕
図１〜図１３は、トールキャビネット、シンクキャビネット、吊り戸棚等の建具或いは食器棚、書棚、下駄箱等の家具などに装備される扉体１の開閉装置を示し、収納室Ｓを形成する扉取付け枠体Ａの構成部材のうち、収納室Ｓの開口幅方向である左右方向で相対向する側板（又は縦框）２の内壁面（内壁部）の各々に複数本のビス３で固定される金属製の矩形平板状の第１取付け部材４と、扉体１の裏面に上下方向に沿って複数本のビス３で固定される金属製の第２取付け部材５とが、収納室Ｓの開口部を閉止する閉止位置と開口部の外側脇に移動した開放位置とに亘って扉体１を平行又はほぼ平行姿勢に維持したまま揺動案内する金属製のリンク機構Ｂを介して連結されているとともに、前記リンク機構Ｂの揺動に連れて扉体１を閉止位置と開放位置とに択一的に保持する弾性付勢機構Ｃが、第２取付け部材５とリンク機構Ｂとの間に設けられている。
【００２６】
更に、前記弾性付勢機構Ｃによる弾性付勢力を調節する付勢力調節操作手段Ｄと、前記リンク機構Ｂを構成する上下一対の揺動リンク６，７のうち、第２取付け部材５の上下方向の一端側に枢支連結された一方の第１揺動リンク６との当接によって扉体１の開放位置を複数に変更可能な開放位置調節手段Ｅが設けられている。
【００２７】
尚、本願発明の扉体開閉装置では、図１、図３に示すように、扉開き操作時に扉体１を開口部の上方側の外側脇に上昇移動させる上開き形式と、図１、図４に示すように、扉開き操作時に扉体１を開口部の下方側の外側脇に下降移動させる下開き形式とが存在し、更に、図示はしないが、扉開き操作時に扉体１を開口部の右側又は左側の外側脇に横移動させる横開き形式が存在する。
【００２８】
そのため、当該実施形態では、上開き形式の扉体開閉装置と下開き形式の扉体開閉装置を中心に説明することになるが、更に、この両形式においても、図５〜図７、図１０に示すように、扉体１の高さＨ１が小さな短尺形式と、図１〜図４、図８、図９に示すように、扉体１の高さＨ２が大きな長尺形式とが存在する。
【００２９】
上述の上開き形式の扉体開閉装置と下開き形式の扉体開閉装置とは同一構造に構成されていて、両形式の構成上の相違点としては、弾性付勢機構Ｃの構成部材である引張コイルバネ１０の他端部の取付け位置を変更する点だけである。
【００３０】
また、扉体開閉装置の短尺形式と長尺形式は、リンク機構Ｂを構成する両揺動リンク６，７として、図５〜図７に示すように、第１取付け部材４に対する枢支連結部６Ａ，７Ａの枢支軸芯と第２取付け部材５に対する枢支連結部６Ｂ，７Ｂの枢支軸芯との軸芯間距離Ｌ１、Ｌ２が短い短尺用の両揺動リンク６，７と、図１〜図４に示すように、第１取付け部材４に対する枢支連結部６Ａ，７Ａの枢支軸芯と第２取付け部材５に対する枢支連結部６Ｂ，７Ｂの枢支軸芯との軸芯間距離Ｌ３、Ｌ４が長い長尺用の両揺動リンク６，７を準備する必要があるものの、第１取付け部材４及び第２取付け部材５は１種類で兼用する。
【００３１】
前記扉体１としては既存の種々の形状のものを用いることができるが、当該実施形態では、図１、図２に示すように、正面視において横長矩形の環状に形成された扉枠体１Ａに透光体の一例である透明板ガラス１Ｂを装着してなる扉体１を使用しており、扉枠体１Ａの左右の縦框１ａの裏面の各々に、前記第１取付け部材４が上下方向に沿う姿勢でビス３にて固定されている。
【００３２】
前記第１取付け部材４の上下三箇所には、図９、図１０に示すように、短尺側揺動リンク６，７の基端側の枢支連結部６Ａ，７Ａ及び長尺側揺動リンク６，７の基端側の枢支連結部６Ａ，７Ａを水平方向に沿う第１、第２連結ピン１２，１３のピン軸芯周りで回動自在に枢支連結するための三つの取付け部の一例である取付け孔４ａ，４ｂ，４ｃが、そのうちの一つの取付け孔４ａを共用する状態で貫通形成されているとともに、扉取付け枠体Ａの側板２への取付け部の一例である複数のビス孔１１が貫通形成されている。
【００３３】
そして、図６、図１０に示すように、前記第２取付け部材５の上下方向の一端側に枢支連結された短尺側第１揺動リンク６の基端側の枢支連結部６Ａは、前記第１取付け部材４の取付け孔４ａ，４ｂ，４ｃのうち、第１取付け部材４の上下中央寄り位置に配置される第２取付け孔４ｂに枢着され、前記第２取付け部材５の上下方向中間位置に枢支連結された短尺側第２揺動リンク７の基端側の枢支連結部７Ａは、扉閉止時において開口部の上下方向一端側で且つ前方寄り位置に配置される共用の第１取付け孔４ａに枢着されている。
【００３４】
また、図３、図９に示すように、前記第２取付け部材５の上下方向の一端側に枢支連結された長尺側第１揺動リンク６の基端側の枢支連結部６Ａは、前記第１取付け部材４の取付け孔４ａ，４ｂ，４ｃのうち、扉閉止時において開口部の上下方向中央寄り位置に配置される第３取付け孔４ｃに枢着され、前記第２取付け部材５の上下中央寄り位置に枢支連結された長尺側第２揺動リンク７の基端側の枢支連結部７Ａは、開口部の上下方向一端側で且つ前方寄り位置に配置される共用の第１取付け孔４ａに枢着されている。
【００３５】
前記第２取付け部材５は、扉体１の扉枠体１Ａへの取付け部の一例である複数のビス孔１４を備えた底板部５Ａと、これの左右両側辺に沿って直角に折り曲げ形成された一対の側板部５Ｂ，５Ｃ、及び、扉体１の上下中央位置寄りに配置される底板部５Ａの一端に沿って直角に折り曲げ形成され、かつ、弾性付勢機構Ｃの取付け部の一例である取付け孔１５を有する取付け板部５Ｄから構成されているとともに、前記取付け板部５Ｄの内側面５ａが両側板部５Ｂ，５Ｃの端面に当て付けられている。
【００３６】
更に、前記第２取付け部材５の一方の側板部５Ｂには、一対の揺動リンク６，７の先端側の枢支連結部６Ｂ，７Ｂが水平方向に沿う第３、第４連結ピン１６，１７のピン軸芯周りで回動自在に枢支連結されているとともに、他方の側板部５Ｃの高さが、一方の側板部５Ｂの高さよりも低く、詳しくは、第３、第４連結ピン１６，１７の脱着操作を水平方向から容易に行うことができるように、第３、第４連結ピン１６，１７の外周面の最下端位置よりも低い高さに構成されている。
【００３７】
前記第２取付け部材５の一方の側板部５Ｂの上下三箇所には、図９、図１０に示すように、短尺側揺動リンク６，７の先端側の枢支連結部６Ｂ，７Ｂ及び長尺側揺動リンク６，７の先端側の枢支連結部６Ｂ，７Ｂを水平方向に沿う第３、第４連結ピン１６，１７のピン軸芯周りで回動自在に枢支連結するための三つの取付け部の一例である取付け孔５ａ，５ｂ，５ｃが、そのうちの一つの取付け孔５ａを共用する状態で貫通形成されている。
【００３８】
そして、図６、図１０に示すように、前記短尺側第１揺動リンク６の先端側の枢支連結部６Ｂは、前記第２取付け部材４の取付け孔５ａ，５ｂ，５ｃのうち、扉閉止時において開口部の上下方向一端側寄り位置に配置される共用の第１取付け孔５ａに枢着され、短尺側第２揺動リンク７の先端側の枢支連結部７Ｂは、第２取付け部材４の孔形成領域の上下中間位置に配置される第２取付け孔４ｂに枢着されている。
【００３９】
前記長尺側第１揺動リンク６の先端側の枢支連結部６Ｂは、図３、図９に示すように、前記第２取付け部材５の取付け孔５ａ，５ｂ，５ｃのうち、扉閉止時において開口部の上下方向一端側寄り位置に配置される共用の第１取付け孔５ａに枢着され、前記長尺側第２揺動リンク７の先端側の枢支連結部７Ｂは、第２取付け部材５の上下中央寄り位置に配置される第３取付け孔５ｃに枢着されている。
【００４０】
前記リンク機構Ｂの第２揺動リンク７のうち、第１取付け部材４に枢支連結される枢支連結部７Ａ側に片寄った基端側リンク部分７ａは、例えば、図３、図４に示すように、開放位置に切り換え揺動させたとき、扉取付け枠体Ａの天板８又は底板９の前端と干渉しないように、その天板８又は底板９の前端を迂回可能なＬ字形状に屈曲形成されているとともに、前記第１揺動リンク６の中央側リンク部分６ａも、第２揺動リンク７の基端側リンク部分７ａと干渉しないように略Ｌ字形状に屈曲形成されている。
【００４１】
前記第１揺動リンク６の先端側の枢支連結部６Ｂには、図９、図１０に示すように、それの先端からＬ字状の軸受け片６Ｃが折り曲げ形成され、この軸受け片６Ｃと枢支連結部６Ｂの周縁部分とをもって、引張コイルバネ１０の他端部に形成された係止フック１０ａを脱着自在に掛け止める係止ピン２０を架設するためのピン受け部に構成されているとともに、このピン受け部には、扉体１が閉止位置にある状態において先端側の枢支連結部６Ｂの枢支軸芯よりも第２取付け部材５の一端側に近づく部位と先端側の枢支連結部６Ｂの枢支軸芯よりも第２取付け部材５の一端側から遠ざかる部位とに、引張コイルバネ１０の他端部に形成された係止フック１０ａを選択的に掛止することができるように、係止ピン２０を選択的に取付け可能な取付け部の一例である第１・第２ピン孔２１，２２が形成されている。
【００４２】
そして、前記第２取付け部材の一端側の取付け板部５Ｄとそれの他端側に枢支連結された第１揺動リンク６のピン受け部との間に亘って引張コイルバネ１０を張設するにあたって、図９、図１０に示すように、引張コイルバネ１０の他端側の係止フック１０ａを掛止する係止ピン２０を、第１揺動リンク６の先端側枢支連結部６Ｂの枢支軸芯よりも第２取付け部材５の取付け板部５Ｄ側に近づく部位の第１ピン孔２１に取付けると、扉閉止時における引張コイルバネ１０の張設距離が短くなり、また、図９、図１０に示すように、引張コイルバネ１０の係止フック１０ａを掛止する係止ピン２０を、第１揺動リンク６の先端側枢支連結部６Ｂの枢支軸芯よりも第２取付け部材５の取付け板部５Ｄ側から遠ざかる部位の第２ピン孔２２に取付けると、扉閉止時における引張コイルバネ１０の張設距離が長くなる。
【００４３】
それ故に、前記扉体１を下方に開き揺動させる形式の扉体開閉装置では、引張コイルバネ１０の係止フック１０ａを掛止する係止ピン２０を第２取付け部材５の取付け板部５Ｄ側に近づく部位の第１ピン孔２１に取付けることにより、扉体１が急激に開き揺動することを抑制することができるとともに、前記扉体１を上方に開き揺動させる形式の扉体開閉装置では、引張コイルバネ１０の係止フック１０ａを掛止する係止ピン２０を第２取付け部材５の取付け板部５Ｄ側から遠ざかる部位の第２ピン孔２２に取付けることにより、扉体１の重量に抗して小さな操作力でスムーズに開き揺動させることができる。
【００４４】
また、扉閉止時及び扉開き時には、上開き形式及び下開き式の何れの場合でも、引張コイルバネ１０の係止フック１０ａを掛止する係止ピン２０が、第２取付け部材５の取付け板部５Ｄのネジ軸取付け中心位置と第１揺動リンク６の先端側枢支連結部６Ｂの枢支軸芯とを結ぶ線分を越えた位置又は前記線分の近傍に位置して、引張コイルバネ１０の弾性復元力によって扉体１を閉止位置又は開放位置に付勢保持している。
【００４５】
従って、第２取付け部材５の取付け板部５Ｄとの間での引張コイルバネ１０の張設距離が異なる状態で第１揺動リンク６の枢支連結部６Ｂ側の二箇所に形成された第１・第２ピン孔２１，２２に対して、引張コイルバネ１０の係止フック１０ａを掛止する係止ピン２０を選択的に付け替えるだけで、下開き形式の扉体開閉装置と上開き形式の扉体開閉装置を製作することができる。
【００４６】
前記付勢力調節操作手段Ｄは、図９〜図１１に示すように、引張コイルバネ１０の一端部に対してコイル軸芯方向から螺合固定されるネジ部材２４と、第２取付け部材５の取付け板部５Ｄに形成されている取付け孔１５を通してネジ部材２４に螺合された操作ネジ軸２５から構成されている。
【００４７】
前記開放位置調節手段Ｅを構成するに、図１２、図１３に示すように、第１取付け部材４のうち、第１揺動リンク６の揺動範囲内に位置する開放位置側の部位に、回動軸芯からの距離が異なる複数のストッパー面２６ａを備えた合成樹脂製の方形状のストッパー部材２６が、枢支ピン２７の軸芯周りで回動並びにその回動軸芯方向の一定範囲内で移動自在に枢着され、このストッパー部材２６の底面に相対向する第１取付け部材４の摺動ガイド面には、ストッパー部材２６のストッパー面２６ａがスッパー作用位置で選択的に係合保持されるように、ストッパー部材２６の底面に形成された回動方向で複数（当該実施形態では４つ）の係合凹部２６ｂ、詳しくは、ストッパー部材２６の底面に十字状に切り込み形成される溝状の係合凹部２６ｂに対して選択的に係合する係止突起４ｅが打ち出し形成されている。
【００４８】
更に、枢支ピン２７の頭部２７ａとこれに相対向するストッパー部材２６の一側端面との間には、係合突起４ｅに対するストッパー部材２６の係合凹部２６ｂの乗り越え回動を許容する状態でストッパー部材２６を第１取付け部材４側に移動付勢する弾性付勢体の一例であるスプリング座金２８が設けられている。
【００４９】
前記第１取付け部材４には、図９、図１０に示すように、共用の第１取付け孔４ａとこれに近接位置する第２取付け孔４ｂとの間において、短尺側第１揺動リンク６との接当によって扉体１の開放位置を規制するストッパー部材２６の第１取付け部の一例である枢支ピン２７用の第１挿入孔２９と、共用の第１取付け孔４ａ以外の両取付け孔４ｂ，４ｃ間において、長尺側第１揺動リンク６との接当によって扉体１の開放位置を規制するストッパー部材２６の第２取付け部の一例である枢支ピン２７用の第２挿入孔３０が形成されている。
【００５０】
そして、前記第１取付け部材４には、上述のように短尺側第１揺動リンク６との接当によって扉体１の開放位置を規制する位置にストッパー部材２６を取付けるための第１挿入孔２９と、長尺側第１揺動リンク６との接当によって扉体１の開放位置を規制する位置にストッパー部材２６を取付けるための第２挿入孔３０とが形成されているため、第１取付け部材４としては１種類だけ製作すればよく、製造コストの低廉化を促進することができる。
【００５１】
また、図１〜図１０に示すように、前記扉枠体１Ａの左右縦框１ａに取付けられる各第２取付け部材５に枢支連結されるリンク機構Ｂの両揺動リンク６，７のうち、下開き形式の扉体開閉装置では扉体１が閉止位置にある状態で扉枠体１Ａの下框１ｂに対応する左右一対の第１揺動リンク６の軸受け片６Ｃ間、又は上開き形式の扉体開閉装置では扉体１が閉止位置にある状態で扉枠体１Ａの上框１ｃに対応する左右一対の第１揺動リンク６の軸受け片６Ｃ間に亘って、中空筒状にアルミニウム合金にて押出し成形された剛性のある連結部材３１が、扉体１が閉止位置にあるときに扉枠体１Ａの下框１ｂ又は上框１ｃの背面に沿って位置する横架姿勢でビス３２にて締付け固定されている。
【００５２】
尚、図中６ｂは、第１揺動リンク６の基端側枢支連結部６Ａに貫通形成された第１連結ピン１２が挿入される枢支連結孔であり、６ｃは第１揺動リンク６の先端側枢支連結部６Ｂに貫通形成された第３連結ピン１６が挿入される枢支連結孔である。
【００５３】
図中７ｂは、第２揺動リンク７の基端側枢支連結部７Ａに貫通形成された第２連結ピン１３が挿入される枢支連結孔であり、７ｃは第２揺動リンク７の先端側枢支連結部７Ｂに貫通形成された第４連結ピン１７が挿入される枢支連結孔である。
【００５４】
図中３３は、係止ピン２０に相対回転自在に外嵌される掛止筒体であり、その筒軸芯方向中央位置には、引張コイルバネ１０の係止フック１０ａを脱着自在に掛止する掛止溝３３ａが形成されている。
【００５５】
図中３４は、前記第１取付け部材４の外方側を覆う状態で該第１取付け部材４にビス３５にて固定されるカバーである。
【００５６】
〔その他の実施形態〕
（１）上述の実施形態では、扉開き操作時に扉体１を開口部の上方側の外側脇に上昇移動させる上開き形式の扉体開閉装置と、扉開き操作時に扉体１を開口部の下方側の外側脇に下降移動させる下開き形式の扉体開閉装置について説明したが、収納室Ｓを形成する扉取付け枠体Ａの構成部材のうち、収納室Ｓの上下方向で相対向する天板及び底板の各々に固定される金属製の矩形平板状の第１取付け部材４と、扉体１の裏面に水平方向に沿って固定される金属製の第２取付け部材５とを、収納室Ｓの開口部を閉止する閉止位置と開口部の左右方向の外側脇に移動した開放位置とに亘って扉体１を平行又はほぼ平行姿勢に維持したまま揺動案内する金属製のリンク機構Ｂを介して連結するとともに、前記リンク機構Ｂの揺動に連れて扉体１を閉止位置と開放位置とに択一的に保持する弾性付勢機構を、第２取付け部材５とリンク機構Ｂとの間に設けて実施してもよい。要するに、扉開き操作時に扉体１を開口部の右側又は左側の外側脇に横移動させる横開き形式に構成して実施してもよい。
（２）前記付勢力調節操作手段Ｄとしては、付勢機構Ｃによる弾性付勢力を調節することのできるものであれば、いかなる構造に構成してもよい。
（３）前記開放位置調節手段Ｅとしては、第１揺動リンク６又は第２揺動リンク７との当接によって扉体１の開放位置を複数に変更することのできるものであれば、いかなる構造に構成してもよい。
【図面の簡単な説明】
【００５７】
【図１】本発明による扉体開閉装置の第１実施形態を示す長尺形式の扉閉止時の断面側面図
【図２】図１のＩＩ−ＩＩ線断面図
【図３】下方側の扉体１を上方側の外側脇に開き操作したときの長尺形式の断面側面図
【図４】上方側の扉体１を下方側の外側脇に開き操作したときの長尺形式の断面側面図
【図５】短尺形式の扉閉止時の断面側面図
【図６】下方側の扉体１を上方側の外側脇に開き操作したときの短尺形式の断面側面図
【図７】上方側の扉体１を下方側の外側脇に開き操作したときの短尺形式の断面側面図
【図８】扉体開閉装置を収納室内の下方側から見た斜視図
【図９】長尺形式の扉体開閉装置の分解斜視図
【図１０】短尺形式の扉体開閉装置の分解斜視図
【図１１】付勢力調節操作手段の拡大断面図
【図１２】開放位置調節手段の拡大側面図
【図１３】開放位置調節手段の拡大断面図
【符号の説明】
【００５８】
Ｂ        リンク機構
Ｃ        弾性付勢機構
Ｓ        収納室
１        扉体
１Ａ      扉枠体
１Ｂ      透光体（透明板ガラス）
１ａ      縦框
１ｂ      下框
１ｃ      上框
４        第１取付け部材
４ａ      取付け部（第１取付け孔）
４ｂ      取付け部（第２取付け孔）
４ｃ      取付け部（第３取付け孔）
５        第２取付け部材
５Ａ      底板部
５Ｂ      側板部
５Ｃ      側板部
５Ｄ      取付け板部
５ａ      取付け部（第１取付け孔）
５ｂ      取付け部（第２取付け孔）
５ｃ      取付け部（第３取付け孔）
５ｄ      内側面
６        第１揺動リンク
６Ａ      枢支連結部
６Ｂ      枢支連結部
７        第２揺動リンク
７Ａ      枢支連結部
７Ｂ      枢支連結部
１０      コイルバネ（引張コイルバネ）
１５      取付け部（取付け孔）
２１      取付け部（第１ピン孔）
２２      取付け部（第２ピン孔）
２９      第１取付け部（第１挿入孔）
３０      第２取付け部（第２挿入孔）
３１      連結部材
【図１】
2006241902.tif 000003
【図２】
2006241902.tif 000004
【図３】
2006241902.tif 000005
【図４】
2006241902.tif 000006
【図５】
2006241902.tif 000007
【図６】
2006241902.tif 000008
【図７】
2006241902.tif 000009
【図８】
2006241902.tif 000010
【図９】
2006241902.tif 000011
【図１０】
2006241902.tif 000012
【図１１】
2006241902.tif 000013
【図１２】
2006241902.tif 000014
【図１３】
2006241902.tif 000015